(57)【要約】【課題】      インバータトランスの実装面積が大きく、多数の放電灯を点灯する場合に放電灯点灯回路部が大型化する問題があった。【解決手段】  端子15、25をそれぞれ取付けた第１ボビン10及び第２ボビン20と、一対のコア50、60と、第１ボビン10の溝14に巻回した一次巻線30と、第２ボビン20の溝24に巻回した二次巻線40とを備えたインバータトランスにおいて、第２ボビン20の溝24を少なくとも四つ形成する。そして、隣り合う二つの溝24からなる巻線部26を第２ボビン20に複数設け、それぞれの巻線部26の一方の溝24に二次巻線40を巻回し、他方の溝24に二次巻線40のリード線を通して、端末を端子25に接続する。【選択図】    図１
2006114717.tif 000002
【特許請求の範囲】
【請求項１】
貫通孔のある筒形の巻軸を有し、巻軸の周りに溝が形成され、複数の端子が取付けられた第１、第２のボビンと、
第１のボビンの貫通孔に挿入された第１の脚及び第２のボビンの貫通孔に挿入された第２の脚を有し、閉磁路を形成する一対のコアと、
第１のボビンの溝に巻回された一次巻線と、
第２のボビンの溝に巻回され一次巻線に電磁結合する二次巻線とを備えたインバータトランスにおいて、
第２のボビンの溝は少なくとも四つ形成するとともに、
隣り合う二つの溝からなる巻線部を第２のボビンに複数設け、
それぞれの巻線部の一方の溝に二次巻線を巻回し、該二次巻線のリード線を他方の溝に通して端子に接続したことを特徴とする多出力インバータトランス。
【請求項２】
第２のボビンを複数設け、第２のボビンと同数の第２の脚をコアに形成した請求項１の多出力インバータトランス。
【請求項３】
第１の脚から等距離にある複数の第２の脚をコアに形成し、第１のボビンから等距離にある複数の第２のボビンを設けた請求項１の多出力インバータトランス。
【請求項４】
５枚の鍔で仕切られた四つの溝を第２のボビンに設け、中央の鍔を中心として巻線部を上下方向に対称に配置するとともに、中央の鍔に端子を取付けた請求項１の多出力インバータトランス。
【請求項５】
５枚の鍔で仕切られた四つの溝を第２のボビンに設け、中央の鍔と下端の鍔に端子を取付け、これらの鍔の真上の溝に二次巻線のリード線を通してなる請求項１の多出力インバータトランス。
【発明の詳細な説明】
【技術分野】
【０００１】
本発明は、放電灯を点灯させるインバータに係り、特に複数の出力を取り出すことが可能な多出力インバータトランスに関するものである。
【背景技術】
【０００２】
液晶表示画面の大型化に伴い、その背面を照明する放電灯が１０本〜２０程度、用いられるようになってきた。このため、放電灯点灯回路に使用されるインバータトランスは多出力型のものが増加している。
従来の多出力型のインバータトランスとしては、例えば特許文献１に開示されたものがある。このトランスは、図11及び図12に示すように、一つの一次側のボビン１に対向する二つの二次側ボビン２を備えている。ボビン１には一次巻線３を巻回し、二つのボビン２には、それぞれ二次巻線４を巻回してある。二次巻線４のリード線はボビン２に設けたスリット２ａを通してボビン２の下面に沿って引出した後、端子５に接続してある。７、８は、一次巻線３と二つの二次巻線４を電磁結合する一対のコアである。
【特許文献１】特開２００１−１２６９３７号公報
【発明の開示】
【発明が解決しようとする課題】
【０００３】
ボビン２の下方に引出した高圧の二次巻線４のリード線には、ボビン２の下面に塗布した接着剤で覆って絶縁耐圧特性を高めるようにしている。このため、組み立て作業性や量産性が低下する欠点がある。また、接着剤の塗布状態にバラツキが出て、トランスをプリント基板に実装したとき、リード線とプリント基板との間の絶縁耐圧不良が発生することがあった。
【０００４】
このような２出力型のトランスを用いると、１出力型のトランスを２個使用するよりはプリント基板への実装面積を小さく出来る。しかし、図10のトランスは二次巻線側の二つのボビン２が横方向に並ぶので、未だに実装面積が大きい問題があった。特に、多数の放電灯を点灯する場合、多くのトランスが必要になり、プリント基板上の広いスペースをインバータトランスが占めることになり、放電灯点灯回路部が大型化してしまう問題があった。
【課題を解決するための手段】
【０００５】
本発明によるインバータトランスは、貫通孔のある筒形の巻軸を有し、巻軸の周りに溝が形成され、複数の端子15、25が取付けられた第１のボビン10及び第２のボビン20と、第１のボビン10の貫通孔に挿入された第１の脚51及び第２のボビン20の貫通孔21に挿入された第２の脚52を有し、閉磁路を形成する一対のコア50、60と、第１のボビン10の溝14に巻回された一次巻線30と、第２のボビン20の溝24に巻回され一次巻線30に電磁結合する二次巻線40とを備えたインバータトランスにおいて、第２のボビン20の溝24は少なくとも四つ形成するとともに、隣り合う二つの溝24からなる巻線部26を第２のボビン20に複数設け、それぞれの巻線部26の一方の溝24に二次巻線40を巻回し、他方の溝24に二次巻線40のリード線を通して端子25に接続した構成を特徴とする。
【発明の効果】
【０００６】
本発明によれば、１個のインバータトランスで複数の放電灯を同時に点灯できるばかりでなく、複数の二次巻線を上下方向に配置するようにしたので、従来の多出力トランスよりも実装面積を大幅に低減できる。特に多数のトランスを同一基板に実装する場合に有用である。また、二次巻線のリード線とプリント基板の導体パターンとの間に、ボビンの鍔が介在することになるので、安定した耐圧特性が得られる効果もある。
【実施例】
【０００７】
図１〜図３は本発明のインバータトランスの一実施例を示すもので、４出力型とした場合の構成例である。10は、貫通孔11（図３）のある筒形の巻軸を有し、巻軸の周りに溝14が形成され、複数の端子15が取付けられたボビンである。溝14には低圧側の一次巻線30を巻回し、そのリード線を端子15に接続してある。本実施例のトランスは、この一次側ボビン10の横に二次側の二つのボビン20を備えている。二つのボビン20はボビン10から等距離の位置にある。
【０００８】
ボビン20は、図４に拡大して示すように貫通孔21のある筒形の巻軸22を有し、巻軸22の周りに５枚の鍔23で仕切られた四つの溝24を備えている。中央の鍔23ｃには複数の端子25を取付けてある。ボビン20には、隣り合う二つの溝24からなる巻線部26が二つ形成されている。二つの巻線部26は中央の鍔23ｃを中心として上下方向に対称な配置となっている。それぞれの巻線部26には、中央の鍔23ｃから遠い方の溝24ａに高圧側の二次巻線40を巻回してある。二次巻線40のリード線は、鍔23ｂ、23ｄに設けたスリット27を通過させて他方の溝24ｂに導いた後、この溝24ｂを通して端子25に接続してある。
【０００９】
ボビン20に取付けた端子25は、両端を外部に突出させた状態で鍔23ｃに埋め込まれている。図５は上端の鍔23ｅの一部を切り欠いたボビン20の平面図である。この図５及び図４から明らかなように、端子25の一端はボビン20の横方向に突出した短い端子25ａとし、他端は下方に折り曲げられた長い端子25ｂとしてある。長い方の端子25ｂはプリント基板接続用、短い端子25ａは二次巻線40のリード線接続用である。なお、図６に示すように、リード線接続用の端子25ａのみをボビン20の一側面に集め、プリント基板接続用の端子25ｂは別の側面から引き出すようにしてもよい。
【００１０】
50、60は磁性体からなる一対のコアである。図３に示すように、下側のコア50には、上方に突出したほぼ四角形の脚51と、円柱状の脚52ａ、52ｂと、細長い突起54が形成してある。脚51は一次側のボビン10の巻軸の貫通孔11に挿入され、脚52ａ、52ｂはそれぞれ異なる二次側のボビン20の巻軸22の貫通孔21に挿入されている。
平板形のコア60が、脚51、52ａ、52ｂの部分でコア50に突き合わされて閉磁路を形成している。なお、突起54は必ずしも形成しなくてもよい。また、脚52ａ、52ｂは上側のコア60側に設けてもよく、あるいは両方のコア50、60に設けてもよい。
【００１１】
ボビン10と二つのボビン20は、コア50とコア60に挟まれ、互いに接着したコア50、60によって固定されている。突起54は、四つの二次巻線40と一次巻線30との間に位置しており、一次巻線30と二次巻線40間の電磁結合を弱める作用をする。四つの二次巻線40は巻数が同じで一次巻線30に対して同じ結合度で電磁結合している。したがって、このインバータトランスをインバータに組み込んだとき、同じ値の四つの出力電圧が得られる。
【００１２】
上記の実施例では、図４から明らかなように、中央の鍔23ｃを中心として巻線部26を上下方向に対称に配置するとともに、中央の鍔23ｃに全ての端子25を取付けている。しかし図７に示すように、一つのボビン20に巻回した二つの二次巻線40ａ、40ｂ用の端子25を、それぞれ中央の鍔23ｃと下端の鍔23ａに分けて設けてもよい。このときは端子25を取付けた鍔23ａ、鍔23ｃの真上の溝24に、それぞれの二次巻線40ａ、40ｂのリード線41ａ、41ｂを通すことになる。
【００１３】
図８は、二次側に図４のようなボビン20を一つ用いることによって２出力型のトランスとした構成例を示している。このように、図12の従来例と同様な２出力型トランスとしたときも、平面投影面積を従来よりもコンパクトに構成できる利点がある。
図９〜図11は、一つの一次側ボビン10と複数の二次側のボビン20を用いて構成した異なる多出力トランスの実施例である。ボビン20には前記の実施例と同様なボビンを使用している。図９は一次側のボビン10を中心にして二次側のボビン20を対称に配置した４出力トランスであり、図10は二次側ボビン20を３個用いた６出力トランス、図11は４個使用した８出力トランスである。
【００１４】
以上の実施例は、いずれも二つの巻線部26を備えたボビン20の例で説明したが、溝24の数を増やして一つのボビン20に三つ以上の巻線部26を設けた構成としてもよい。
本発明のインバータトランスは多出力が可能な構成であるが、各二次巻線40ごとに一つの出力を取り出す代わりに、特許文献１の図14に示されているように、１本の放電灯に２本の二次巻線40を接続して倍電圧で点灯する回路構成で使用してもよい。すなわち、二つの二次巻線40の一端を共に接地し、接地していない他端をそれぞれ１本の放電灯の両端に接続して２倍の電圧で点灯する構成とするものである。
【図面の簡単な説明】
【００１５】
【図１】本発明のインバータトランスの第１実施例を示す正面図
【図２】同トランスの平面図
【図３】同トランスの上側のコアを除いて示す平面図
【図４】二次側ボビンを拡大して示す一部断面正面図
【図５】二次側ボビンの一部切欠平面図
【図６】端子の変形例を示す二次側ボビンの平面図
【図７】二次側ボビンの他の実施例を示す巻線した状態の正面断面図
【図８】本発明のトランスの第２実施例を示す平面図
【図９】本発明のトランスの第３実施例を示す平面図
【図１０】本発明のトランスの第４実施例を示す平面図
【図１１】本発明のトランスの第５実施例を示す平面図
【図１２】従来のインバータトランスを示す平面図
【図１３】図12のＡ−Ａ線断面図
【符号の説明】
【００１６】
10  第１のボビン
20  第２のボビン
24  溝
26  巻線部
30  一次巻線
40  二次巻線
【図１】
2006114717.tif 000003
【図２】
2006114717.tif 000004
【図３】
2006114717.tif 000005
【図４】
2006114717.tif 000006
【図５】
2006114717.tif 000007
【図６】
2006114717.tif 000008
【図７】
2006114717.tif 000009
【図８】
2006114717.tif 000010
【図９】
2006114717.tif 000011
【図１０】
2006114717.tif 000012
【図１１】
2006114717.tif 000013
【図１２】
2006114717.tif 000014
【図１３】
2006114717.tif 000015